(57)【要約】【課題】照明器具を容易に取り付けできるアダプタを提供することを課題とする。【解決手段】実施形態に係るアダプタは、既存の照明器具を取り外した状態で天井に開口した既存の取り付け穴を塞ぐ板状体と、この板状体の天井から離間した側の表面に突設された位置決め凸部と、を有する。新たに取り付ける照明器具のシャーシの一部は、発光素子を実装した基板の裏面に向けて部分的に突出されて接触凸部を形成している。その結果、接触凸部の裏側には嵌合凹部が形成されている。そして、新たに取り付ける照明器具は、この裏面側に形成された嵌合凹部にアダプタの位置決め凸部を嵌合することで、アダプタに対して位置決めされて組み合わされ、アダプタと一緒にまとめて天井に取り付けられる。【選択図】      図７
2013200995.tif 000002
【特許請求の範囲】
【請求項１】
既存の照明器具を取り外した状態で天井に開口した既存の取り付け穴を塞ぐ板状体と；
この板状体の上記天井から離間した側の表面に突設され、新たに取り付ける照明器具の発光素子を実装した基板の裏面にシャーシの一部を接触させるように上記裏面に向けて上記シャーシを部分的に突出させた接触凸部の裏側に形成された嵌合凹部に嵌合して当該照明器具を上記板状体に対して位置決めする位置決め凸部と；
を有するアダプタ。
【請求項２】
上記位置決め凸部は、上記板状体の表面に沿って第１の方向に延びた該板状体のための補強リブであり、
上記板状体の裏面に沿って上記第１の方向と交差する第２の方向に延設された補強部材をさらに有する、
請求項１のアダプタ。
【請求項３】
上記板状体の縁は、上記取り付け穴の外側で裏面側に折り返されており、上記補強部材の上記第２の方向に沿った端部が上記板状体の折り返された縁の内側に係合している、
請求項２のアダプタ。
【請求項４】
請求項１乃至請求項３のいずれか１項のアダプタと；
このアダプタの上記位置決め凸部を上記嵌合凹部に嵌合せしめて位置決めした状態で当該アダプタに組み合わされた上記新たに取り付ける照明器具と；
を有する照明装置。
【請求項５】
上記新たに取り付ける照明器具を上記アダプタに位置決めして組み合わせた状態でまとめて天井に取り付ける取り付け部材をさらに有する、
請求項４の照明装置。
【請求項６】
既存の照明器具を天井から取り外す工程と；
天井に出現した既存の取り付け穴を塞ぐ板状体とこの板状体の上記天井から離間した側の表面に設けられた補強リブを有するアダプタを用意する工程と；
発光素子を実装した細長い基板の裏面にシャーシの一部を接触させるように上記裏面に向けて上記シャーシを部分的に突出させた接触凸部を有する、新たに取り付ける照明器具を用意する工程と；
上記アダプタの上記補強リブを、上記新たに取り付ける照明器具の上記シャーシの上記接触凸部の裏側に形成された嵌合凹部に嵌合して、上記照明器具を上記アダプタに位置決めした状態で組み合わせる工程と；
この組み合わせた状態の上記アダプタおよび上記照明器具をまとめて天井に取り付ける工程と；を有する、
照明器具の取り付け方法。
【発明の詳細な説明】
【技術分野】
【０００１】
本発明の実施形態は、照明器具を天井に取り付けるためのアダプタ、このアダプタを照明器具と組み合わせた照明装置、およびこのアダプタを用いた照明器具の取り付け方法に関する。
【背景技術】
【０００２】
例えば、天井直付けタイプの照明器具をＬＥＤベースライトに取り替える場合、既存の照明器具を取り外した後、天井に比較的大きな開口部が出現する。新たに取り付けるベースライトがこの開口部より小さい場合、このままではベースライトの天井面への取り付けができない。このため、このような場合には、開口部を塞ぐ比較的大きな板状のアダプタが必要となる。
【０００３】
天井の開口部をアダプタで塞いでからベースライトを取り付けると配線の処理などに手間がかかる。このため、通常は、ベースライトをアダプタに仮留めしてから一緒に天井に取り付ける。
【先行技術文献】
【特許文献】
【０００４】
【特許文献１】特開２０１０−１０１０６号公報
【発明の概要】
【発明が解決しようとする課題】
【０００５】
しかし、ベースライトをアダプタに仮留めする場合、ベースライトをアダプタに対して位置合わせしてネジ等により固定する必要があり、その分、作業工数が多くなり、作業が面倒であった。
【０００６】
よって、照明器具を容易に取り付けできるアダプタの開発が望まれている。
【課題を解決するための手段】
【０００７】
実施形態に係るアダプタは、既存の照明器具を取り外した状態で天井に開口した既存の取り付け穴を塞ぐ板状体と、この板状体の天井から離間した側の表面に突設された位置決め凸部と、を有する。新たに取り付ける照明器具のシャーシの一部は、発光素子を実装した基板の裏面に向けて部分的に突出されて接触凸部を形成している。その結果、接触凸部の裏側には嵌合凹部が形成されている。そして、新たに取り付ける照明器具は、この裏面側に形成された嵌合凹部にアダプタの位置決め凸部を嵌合することで、アダプタに対して位置決めされて組み合わされ、アダプタと一緒にまとめて天井に取り付けられる。
【０００８】
また、実施形態に係るアダプタを用いて照明器具を天井に取り付ける場合、まず、既存の照明器具を天井から取り外す。また、天井に開口した既存の取り付け穴を塞ぐ板状体とこの板状体の表面に設けられた補強リブを有するアダプタを用意し、発光素子を実装した細長い基板の裏面にシャーシの一部を接触させるように裏面に向けてシャーシをレール状に突出させた接触凸部を有する、新たに取り付ける照明器具を用意する。そして、アダプタの補強リブを、新たに取り付ける照明器具のシャーシの接触凸部の裏側に形成された嵌合凹部に嵌合して、照明器具をアダプタに位置決めした状態で組み合わせ、この組み合わせた状態のアダプタおよび照明器具をまとめて天井に取り付ける。
【発明の効果】
【０００９】
本発明によると、既存の照明器具に替えて新たな照明器具を容易に取り付けできる。
【図面の簡単な説明】
【００１０】
【図１】図１は、実施形態に係るアダプタを用いてベースライトを天井に取り付けた状態の照明装置を示す外観斜視図である。
【図２】図２は、図１のベースライトを光の取り出し側から見た平面図である。
【図３】図３は、図１のベースライトを分解した分解斜視図である。
【図４】図４は、図２のＹ−Ｙ線に沿ってベースライトを切断した断面図である。
【図５】図５は、図４のＡ部分を拡大した部分拡大断面図である。
【図６】図６は、図１のベースライトを天井側から見た斜視図である。
【図７】図７は、図１のアダプタをベースライトの取り付け側から見た斜視図である。
【図８】図８は、図７のアダプタを天井側から見た斜視図である。
【図９】図９は、図７のＦ９−Ｆ９に沿ってアダプタを切断した断面図である。
【図１０】図１０は、図８のＦ１０−Ｆ１０に沿ってアダプタを切断した部分拡大断面図である。
【発明を実施するための形態】
【００１１】
以下、図面を参照しながら実施形態について詳細に説明する。  
図１は、実施形態に係る照明装置３００を天井Ｃに取り付けた状態を示す外観斜視図である。照明装置３００は、後述するアダプタ２００にベースライト１００（照明器具）を位置決めして組み合わせたものである。この照明装置３００によると、ベースライト１００をアダプタ２００に仮留めすることなく、両者を一緒にまとめて天井Ｃに取り付けできる。
【００１２】
アダプタ２００は、既存の照明器具（図示せず）を天井Ｃから取り外した後、天井Ｃに出現する開口、すなわち既存の照明器具用の取り付け穴（図示せず）を塞ぎ、ベースライト１００の天井Ｃへの取り付けを可能にする。つまり、既存の照明器具を取り外した後の取り付け穴が新たに取り付けられるベースライト１００より大きい場合、そのままではベースライト１００の取り付けができない。このため、アダプタ２００は、取り付け穴全体を覆うことのできる大きさを有する。また、アダプタ２００は、その前面側にベースライト１００を位置決めするための構造を有する。
【００１３】
まず初めに、本実施形態のアダプタ２００を用いて天井Ｃに取り付けられるベースライト１００について、図１乃至図６を参照して説明する。  
図２は、ベースライト１００を光の取り出し側から見た平面図である。図３は、ベースライト１００の分解斜視図である。図４は、図２のＹ−Ｙ線でベースライト１００を切断した断面図である。図５は、図４のＡ部分を拡大した部分拡大断面図である。図６は、ベースライト１００の裏面を天井側から見た斜視図である。ベースライト１００は、細長い扁平な略長方形の板状に形成されている。以下の説明では、光の取り出し側を前面側と称し、天井Ｃに向かう側を背面側と称する。
【００１４】
ベースライト１００は、細長い略矩形板状のシャーシ１と、このシャーシ１の前面側に取り付けられた細長い複数の帯状の光源部２と、複数の光源部２を覆う乳白色で且つ透光性を有する細長いチューブ状のカバー部材３と、光源部２を点灯制御する点灯装置４と、シャーシ１の中央部に取り付けられた断面略Ｖ字状のセンターカバー５と、２つの側板６と、を備えている。このようなベースライト１００は、前面側を光の照射面とし、背面側を天井Ｃへの取付面としている。
【００１５】
シャーシ１は、溶融亜鉛めっき鋼板等の熱伝導性を有する金属板を形状加工して形成されている。このシャーシ１は、ベースライト１００の複数の構成部材を取り付ける機能と、光源部２で発生する熱を逃がすための放熱部材としての機能と、ベースライト１００に機械強度を付与する強度部材としての機能と、を担う。
【００１６】
シャーシ１は、中央部に平らな天板面１１を有し、その長手方向に沿った両端縁に、複数の光源部２の背面を接触させて取り付けるための細長い２つの配設部１２、１２を有する。各配設部１２は、シャーシ１を長手方向に沿った線で折り曲げることでシャーシ１の一部を前面側に突出させて一体に形成され、その突出した頂部に光源部２の背面を接触させて熱的に結合させる細長い平坦面を有する。つまり、この配設部１２は、光源部２の後述する基板２１の背面を接触せしめる頂面を有する接触凸部として機能する。本実施形態の配設部１２は、３つの光源部２をつなげた長さを超える長さを有する。言い換えると、２つの配設部１２は、シャーシ１の全長に亘って設けられており、シャーシ１の長手方向に沿った機械強度を高める補強リブとしての機能も担う。
【００１７】
一方、シャーシ１を形状加工して上述した２つの配設部１２を形成した結果、シャーシ１の背面側には、２本の嵌合溝部１２０が形成される。図６に示すように、これら２本の嵌合溝部１２０は、ベースライト１００の背面に露出され、後述するアダプタ２００の２本の補強リブ２１０（位置決め凸部）（図７参照）を嵌合する嵌合凹部として機能する。
【００１８】
また、シャーシ１の天板面１１の長手方向両端近くには、それぞれ、取付孔１１ａが形成されている。この取付孔１１ａには、天井Ｃの構造体に設けられた一対の取付ボルト（図示せず）が背面側から貫通されて、シャーシ１の前面側に配置した図示しないナットで締結することで、シャーシ１が天井面Ｃに固設されるようになっている。このとき、天井Ｃとシャーシ１との間には、図１に示すアダプタ２００が挟まれる。このため、アダプタ２００にもシャーシ１の取付孔１１ａと重なる位置に取付孔が２００ａ（図７、８参照）が設けられている。
【００１９】
光源部２は、細長い矩形帯状の基板２１と、この基板２１の表面に実装された複数の発光素子２２と、各発光素子２２を覆う蛍光体層２３と、を有する。図２では、光源部２の構造を見易くするため、一方（図示上側）のカバー部材３を透明化して示してある。
【００２０】
基板２１は、絶縁材である例えば、ガラスエポキシ樹脂（ＦＲ−４）等の材料で細長い長方形状に形成されている。表面側には銅箔で形成された配線パターン層が形成され、配線パターン層の上には、適宜レジスト層が形成される。なお、基板２１の材料には、セラミックス材料、合成樹脂材料又は各発光素子２２の放熱性を高めるうえでアルミニウム等の熱伝導性が良好で放熱性に優れたべース板の一面に絶縁層が積層された金属製のべース基板を使用することができ、格別その材料が限定されるものではない。
【００２１】
また、基板２１の表層には、発光素子２２の実装領域や部品の実装部分を除いて、ほとんど全面に反射率の高い白色のレジスト層が積層されている。これにより発光素子２２が放射した光のうち、横方向へ向かった光が、反射率の高い白色のレジスト層の表面で反射されて前面側へ放射される。
【００２２】
複数の発光素子２２は、ＬＥＤのベアチップからなる。ＬＥＤのベアチップには、例えば、白色系の光を光源部２で発光させるために、青色の光を発するものが用いられている。このＬＥＤのベアチップは、シリコーン樹脂系の絶縁性接着剤を用いて配線パターン層上に接着され、ボンディングワイヤによって配線パターン層に電気的に接続されている。
【００２３】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆するように高さ寸法の小さい略円筒状をなしている。蛍光体は、発光素子２２が発する光で励起されて、発光素子２２が発する光の色とは異なる色の光を放射する。本参考例では、発光素子２２が青色光を発するため、光源部２として白色光を出射できるように、蛍光体には青色の光とは補色の関係にある黄色系の光を放射する黄色蛍光体が使用されている。
【００２４】
なお、蛍光体層２３の形状は、個々の発光素子２２を被覆できれば、特段限定されるものではなく、山形の形状や複数の発光素子２２を連続的に覆うライン状の形態を適用することができる。また、発光素子２２としては、表面実装型のＬＥＤパッケージを用いるようにしてもよく、実装方式や形式は、格別限定されるものではない。
【００２５】
上記構造の光源部２は、その長手方向に連結されてカバー部材３に装着される。本実施形態では、３つの光源部２が連結されて１つのカバー部材３内に装着され、合計６つの光源部２がベースライト１００に組み込まれている。より長尺なベースライトを構成する場合には、長手方向に連結する光源部２の数を増やすことになる。
【００２６】
各光源部２の隣接した端部同士は、図２に示す配線Ｚを介して接続される。また、連結された光源部２のうち両端の光源部２の少なくとも一方の端部からも配線Ｚが導出される。そして、この端部から導出された配線Ｚが、シャーシ１に取り付けられた点灯装置４に接続され、各光源部２への給電が可能となる。
【００２７】
カバー部材３は、各光源部２の前面側を覆う前面部３ａ、および各光源部２の裏面を露出するスリット状の開放部３１を有する。このため、カバー部材３をシャーシ１に取り付けることで、この開放部３１を介して、各光源部２の基板２１の裏面が、シャーシ１における配設部１２の平坦面に接触し、基板２１がシャーシ１に熱的に結合されるようになっている。
【００２８】
カバー部材３は、アクリル樹脂やポリカーボネート樹脂等の透光性を有する絶縁性の材料で形成される。本実施形態では、カバー部材３をポリカーボネートの押出成形によって形成した。カバー部材３は、長尺のチューブ状に形成されていて、断面形状が左右対称であり、シャーシ１の両側に形成された配設部１２に取り付けられる。カバー部材３は、配設部１２と略同じ長さを有する。なお、カバー部材３の長手方向両端には、光源部２を挿通するための開口３２が設けられている。
【００２９】
例えば、図５に示すように、開放部３１の長手方向に沿う縁部には、互いに対向して開放する一対の保持溝３３が全長に亘って形成されている。これら一対の保持溝３３は、長手方向に沿う前面側支持部３３ａ及び背面側支持部３３ｂの間に形成されている。また、保持溝３３の外側には、断面略コ字状であって内側に開放する一対の係止部３４が長手方向の全長に亘って形成されている。
【００３０】
カバー部材３の互いに対向する一対の保持溝３３には、複数の光源部２の各基板２１の長手方向に沿った両端縁が挿通される。具体的には、図３に示すように、３つの光源部２が配線Ｚで接続されてカバー部材３の一方の開口３２から挿入され、各光源部２の基板２１の長手方向に沿った両端縁が一対の保持溝３３によって案内されて保持される。これにより光源部２は、カバー部材３によって保持されて、カバー部材３と一体化される。
【００３１】
また、カバー部材３の長手方向両端にある開口３２には、この開口３２を閉塞する蓋体３５が取り付けられる。つまり、上述したように、カバー部材３の一対の保持溝３３に３つの光源部２が装着された後、カバー部材３の両端を閉塞するように蓋体３５が取り付けられる。このように、カバー部材３の両端にある開口３２に蓋体３５を取り付けることにより、光源部２がカバー部材３から抜け落ちる不具合を防止することができる。
【００３２】
蓋体３５は、絶縁性を有し、表面から材料内部まで光拡散性を有する透光性の材料により形成され、カバー部材３と同様に乳白色である。このため、光源部２から放出された光を蓋体３５を介して外部に照射することができる。
【００３３】
また、蓋体３５は、後述する側板６に組み合わされてその位置が規制されるようになっている。さらに、蓋体３５の背面側でシャーシ１の端部前面との間には、基板２１の端部と点灯回路４とを接続する配線Ｚが存在する。基板２１の端部から導出する配線Ｚは、点灯装置４に至るまでにシャーシ１の端部を経由しなければならないが、配線Ｚの前面の蓋体３５が光を伝導するので光るため、装置本体の端部に存在する配線Ｚの存在が目立たなくなる。
【００３４】
点灯装置４は、シャーシ１の天板部１１の前面側に取り付けられている。点灯装置４は、光源部２を点灯制御するものであり、箱状のケース内に複数個の回路部品を実装した回路基板を収容して構成されている。この点灯装置４は、図示しない商用交流電源に接続されていて、交流を直流に変換して出力する。点灯装置４は、例えば、全波整流回路の出力端子間に平滑コンデンサを接続し、この平滑コンデンサに直流電圧変換回路及び電流検出手段を接続して構成されている。点灯装置４は、基板２１を介して発光素子２２に接続されており、その直流出力を発光素子２２に供給し、発光素子２２を点灯制御する。
【００３５】
また、天板部１１の前面側には、端子台７が取り付けられている。この端子台７には、電源線や送り線、調光信号線等のここでは図示を省略した配線が接続される。点灯装置４は、調光信号に基づいて光源部２を調光する。
【００３６】
センターカバー５は、シャーシ１の天板部１１の前面側に配設されている。センターカバー５は、溶融亜鉛めっき鋼板等の金属製の板材から形成されていて、側面形状がＶ字状をなしている。また、少なくとも表面側には、白色の塗装が施されており、反射板として機能する。
【００３７】
このセンターカバー５の拡開する長手方向に沿う端縁５１（図３参照）には、複数の取付舌片５２が形成されている。一方、この取付舌片５２と対向するシャーシ１側には、切り込みによって前面側へ若干膨出変形させて形成した挿入孔１４が形成されている。
【００３８】
センターカバー５は、Ｖ字状の頂部を中心として、拡開する端縁を幅方向に弾性変形させて、拡開する幅寸法を縮小させることが可能となっている。したがって、センターカバー５をシャーシ１に取り付ける場合には、センターカバー５を拡開する幅寸法を縮小させるように弾性変形し、取付舌片５２を挿入孔１４の位置に合わせ、弾性変形を解いて元の状態に復帰させる。これにより、取付舌片５２が挿入孔１４に挿入され、センターカバー５がシャーシ１に取り付けられる。
【００３９】
このようにセンターカバー５がシャーシ１に取り付けられると、ストッパ部材３６の固定片部３６ｂにセンターカバー５の端縁５１が当接される。したがって、例えば、経時的な振動等によってストッパ部材３６の取付ねじ３６ｃに緩みが生じても、ストッパ部材３６の外れや過度な動きを抑制できる。これにより、シャーシ１と基板２１との熱的結合の確実化が期待できる。
【００４０】
加えて、点灯装置４や端子台７、配線等は、センターカバー５に覆われ外部からは視認できないようになり、外観を損なうことがない。また、側板６は、合成樹脂材料で形成され、シャーシ１の長手方向の両端部を閉塞するように取り付けられている。
【００４１】
次に、本実施形態に係るアダプタ２００について、図７乃至図１０を参照して説明する。  
図７は、アダプタ２００を前面側、すなわちベースライト１００側から見た斜視図である。図８は、アダプタ２００を背面側、すなわち天井Ｃ側から見た斜視図である。図９は、図７のＦ９−Ｆ９に沿ってアダプタ２００を切断した断面図であり、図１０は、図８のＦ１０−Ｆ１０に沿ってアダプタ２００を切断した部分拡大断面図である。
【００４２】
アダプタ２００は、ベースライト１００よりサイズの大きい略矩形板状のプレート２０１（板状体）を有する。プレート２０１は、１枚の金属板を形状加工して全ての縁を折り曲げることで構成されている。つまり、プレート２０１の４辺にある縁２０２は、例えば図１０に断面を示すように、天井Ｃに露出した図示しない取り付け穴（既存の照明器具を取り外した後、天井に露出する穴）の外側でその背面側に折り返されている。
【００４３】
より詳細には、プレート２０１の背面側に折り返された縁２０２は、プレート２０１の背面に向かう方向にさらにもう１回折り曲げられており、後述する補強プレート２２０の端部を係合させることのできる係合縁部２０３（図９、１０）を構成している。このように、プレート２０１の４辺に略管状にカールした係合縁部２０３を設けることで、プレート２０１の周辺における機械強度を高めることができる。
【００４４】
また、プレート２０１には、複数の貫通孔が設けられている。これらプレート２０１の孔は、例えば、このプレート２０１を天井Ｃとの間に挟んでベースライト１００を取り付ける際に、天井Ｃ側から突出した取付ボルト（図示せず）を挿通する取付孔２００ａであり、或いは、点灯装置４を図示しない商用交流電源に接続する配線を通すための配線孔２０４（図７、８）である。配線孔２０４には、図９に示すように、配線を保護するためのブッシュ２０５が取り付けられている。
【００４５】
プレート２０１の前面側には、２本の補強リブ２１０、２１０が設けられている。各補強リブ２１０は、プレート２０１の長手方向（第１の方向）に沿って延設されている。２本の補強リブ２１０は、同じ形を有し、プレート２０１の長手方向に沿った中心線に対して対称な姿勢となるように互いに逆向きに取り付けられている。各補強リブ２１０の長さは、ベースライト１００の背面に設けられたシャーシ１の２本の嵌合溝部１２０の長さより僅かに短くされている。本実施形態では、補強リブ２１０の長さは、嵌合溝部１２０の長さより０．０２ｍｍ〜３ｍｍほど短くされている。
【００４６】
補強リブ２１０は、１枚の細長い金属板を形状加工して折り曲げることによって形成されている。具体的には、補強リブ２１０は、その断面が概ねハット形になるように、その長手方向に沿った線状の複数個所で複数回折り曲げられている。つまり、補強リブ２１０は、プレート２０１に取り付けた状態で最も突出した平らな頂面２１１を有する。頂面２１１は、ベースライト１００をアダプタ２００に組み合わせた状態で、シャーシ１の嵌合溝部１２０の底面に対向する。なお、補強リブ２１０のシャーシ１に対する熱伝導率を高めるため、補強リブ２１０の突出した外側の表面は塗装されていない。
【００４７】
補強リブ２１０の長手方向に沿った一方の縁には、例えば図１０に示すように、プレート２０１に設けられた複数のスリット２０５にそれぞれ挿入される複数の舌片２１２が一体に延設されている。これら複数の舌片２１２は、図８に示すように、長手方向に沿って互いに離間して設けられており、プレート２０１のスリット２０５を通ったあと外側に折り曲げられた形状を有し、補強リブ２１０の一方の縁がプレート２０１に係合されるようになっている。
【００４８】
一方、補強リブ２１０の長手方向に沿った他方の縁には、図９に示すように、この他方の縁をプレート２０１に固定するための複数本のネジ２１３を挿通する複数のネジ孔２１４が設けられている。ネジ孔２１４は、反対側の舌片２１２に対向する位置にそれぞれ設けられている。すなわち、補強リブ２１０は、複数の舌片２１２をプレート２０１のスリット２０５に挿通して、補強リブ２１０をその長手軸を中心に回転させて、他方の縁にあるネジ孔２１４にネジ２１３を挿通してプレート２１０に締結することで、プレート２０１に固設される。
【００４９】
このようにプレート２０１に固設された補強リブ２１０は、管状構造を有するため、プレート２０１の長手方向に沿った機械強度を付与できる強度部材として機能する。また、補強リブ２１０は、アダプタ２００にベースライト１００を組み付ける際の位置決め部材として機能し、シャーシ１の嵌合溝部１２０に嵌合してベースライト１００をアダプタ２００に対して位置決めするよう機能する。
【００５０】
プレート２０１の背面側には、図８および図１０に示すように、２枚の補強プレート２２０（補強部材）が設けられている。本実施形態の補強プレート２２０は、その長手方向に沿った縁をそれぞれ背面側に折り曲げた略断面Ｕ字状に形成されており、機械強度を付与されているが、断面Ｌ字状など他の形状であっても良く、プレート状をなしていなくても良い。
【００５１】
いずれにしても、２枚の補強プレート２２０は、それぞれプレート前面側の補強リブ２１０と、プレート２０１を挟んで少なくとも一部が対向する位置に取り付けられている。より具体的には、各補強プレート２２０は、プレート２０１の長手方向と交差する幅方向（第２の方向）に延設され、２本の補強リブ２１０の両端と重なる位置に配置されている。このように、補強リブ２１０と補強プレート２２０をプレート２０１を挟んで互いに部分的に重なる位置に配置することで、プレート２０１に対してより高い機械強度を付与できる。なお、これら２枚の補強プレート２２０は、プレート２０１に対してネジ等を用いて固定されておらず、プレート２０１の係合縁部２０３を利用して取り付けられる。
【００５２】
つまり、各補強プレート２２０の長手方向両端は、プレート２０１の上述した係合縁部２０３に係合される。図１０に示すように、補強プレート２２０が係合縁部２０３に係合する端辺２２１には、係合縁部２０３に届かない切欠き部２２２が設けられている。図示しない補強プレート２２０の他端にも切欠き２２２が設けられている。これら両端の切欠き２２２は、プレート２０１の中心軸に対して線対称となる位置ではなく、中心線を挟んで互いに対向しない逆側に設けられている。補強プレート２２０の長手方向に沿った寸法は、プレート２０１の幅方向長さと略同じに設計されており、補強プレート２２０をプレート背面に取り付けた状態で、補強プレート２２０の両端辺が係合縁部２０３の内側面に当接する。
【００５３】
すなわち、補強プレート２２０をプレート２０１に取り付ける場合、補強プレート２２０の長手軸をプレート２０１の幅方向に対して僅かに傾斜させた状態で補強プレート２２０をプレート２０１の背面に接触させ、補強プレート２２０の長手軸がプレート２０１の幅方向と一致する姿勢に回転させる。この状態を図８および図１０に示す。
【００５４】
本実施形態では、図８で反時計回り方向に補強プレート２２０を僅かに回転させた姿勢でプレート２０１の背面に対向させて、補強プレート２２０の両端辺が係合縁部２０３をかわすように補強プレート２２０をプレート２０１の背面に近付けて、補強プレート２２０がプレート背面に接触した後、補強プレート２２０を図８で時計回り方向に回転させて幅方向に沿った姿勢に戻す。このとき、補強プレート２２０の両端辺に設けられた切欠き部２２２は、補強プレート２２０の端辺と係合縁部２０３との干渉を防止するよう機能する。
【００５５】
補強プレート２２０を上記のようにプレート２０１に取り付けると、補強プレート２２０の両端がプレート２０１の係合縁部２０３の下に入り込み、補強プレート２２０の両端がそれぞれ係合縁部２０３に係合する。これにより、アダプタ２００を天井Ｃに取り付けた場合に、補強プレート２２０が脱落する不具合を防止できる。
【００５６】
つまり、補強プレート２２０の両端がプレート２０１の長手方向に沿った縁部に係合されていない場合、アダプタ２００を天井Ｃに取り付けた際に天井Ｃの図示しない取り付け孔に補強プレートが落ち込んで、アダプタ２００を締結する際にプレート２０１から脱落する可能性がある。これに対し、本実施形態のように補強プレート２２０の両端をプレート２０１の係合縁部２０３に係合せしめることで、アダプタ２００の締結固定によって補強プレート２２０が脱落する不具合を防止でき、脱落によるプレート２０１の変形も防止することができる。
【００５７】
以下、上述した構造を有するアダプタ２００を用いてベースライト１００を天井Ｃに取り付ける動作について説明する。  
まず、図示しない既存の照明器具を天井Ｃから取り外す。既存の照明器具を取り外した後、天井Ｃには図示しない取り付け孔が出現する。
【００５８】
次に、アダプタ２００の前面側に新たに取り付けるベースライト１００を重ねて位置決めする。この際、アダプタ２００の前面側に設けた２本の補強リブ２１０、２１０を、ベースライト１００のシャーシ１の背面にある２本の嵌合溝部１２０に嵌合し、ベースライト１００をアダプタ２００に対して位置決めする。
【００５９】
このとき、アダプタ２００の補強リブ２１０の頂面２１１がシャーシの嵌合溝部１２０の底面に接触しても良い。また、このとき、アダプタ２００の補強リブ２１０の側面がシャーシの嵌合溝部１２０の側面に接触しても良い。つまり、このとき、アダプタ２００の補強リブ２１０の少なくとも一部がシャーシの嵌合溝部１２０の少なくとも一部に接触しても良い。
【００６０】
本実施形態では、上記のようにアダプタ２００とベースライト１００を組み合わせた状態で、アダプタ２００の前面にシャーシ１の背面が比較的広い面積で良好に接触するように、少なくとも補強リブ２１０の頂面２１１がシャーシ１の嵌合溝部１２０の底面に接触しないよう補強リブ２１０の高さを設計にした。
【００６１】
この後、上記のように位置合わせして互いに重ねた状態のアダプタ２００とベースライト１００をまとめて天井Ｃに取り付ける。この際、作業員は、補強リブ２１０と嵌合溝部１２０の嵌め合わせによってアダプタ２００とベースライト１００の位置ズレを気にすることなく、アダプタ２００とベースライト１００をハンドリングできる。このため、天井Ｃの構造体から突出した図示しない取付ボルトを、アダプタ２００の取付孔２００ａおよびシャーシ１の取付孔１１ａに容易に挿通でき、照明装置３００の取り付け作業を容易にできる。
【００６２】
また、上記のように照明装置３００を天井Ｃに取り付ける際に、図示しないナットで取付ボルトを締め付けると、シャーシ１がアダプタ２００に押し付けられ、補強リブ２１０が嵌合溝部１２０に対して少なくとも部分的に密着される。この場合、補強リブ２１０の頂面２１１が嵌合溝部１２０の底面に密着しても良く、補強リブ２１０の側面が嵌合溝部１２０の側面に密着しても良い。
【００６３】
いずれにしても、アダプタ２００の前面側にある補強リブ２１０がベースライト１００のシャーシ１の背面にある嵌合溝部１２０に密着することで、ベースライト１００の基板２１から配設部１２に伝達される熱が、裏側の嵌合溝部１２０を介して補強リブ２１０へ良好に伝達されることになり、光源部２を良好に放熱させることができる。
【００６４】
以上述べた実施形態のアダプタ２００によれば、ベースライト１００の取付側（すなわち前面側）にベースライト１００の位置決め機能を有する補強リブ２１０を設けたため、ベースライト１００をアダプタ２００に対して容易に位置決めすることができ、既存の照明器具に替えてベースライト１００を天井Ｃに容易に取り付けできる。
【００６５】
また、この際、ベースライト１００をアダプタ２００に仮留めする部材を必要としないので、部品点数を少なくできるとともに、組み立て工数を少なくでき、ベースライト１００の取り付けにかかる費用を安価にできる。
【００６６】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００６７】
１…シャーシ、２…光源部、１２…配設部、２１…基板、２２…発光素子、１００…ベースライト、１２０…嵌合溝部、２００…アダプタ、２０１…プレート、２０３…係合縁部、２１０…補強リブ、２２０…補強プレート、３００…照明装置、Ｃ…天井。
【図１】
2013200995.tif 000003
【図２】
2013200995.tif 000004
【図３】
2013200995.tif 000005
【図４】
2013200995.tif 000006
【図５】
2013200995.tif 000007
【図６】
2013200995.tif 000008
【図７】
2013200995.tif 000009
【図８】
2013200995.tif 000010
【図９】
2013200995.tif 000011
【図１０】
2013200995.tif 000012